(57)【要約】【課題】取り付け及び取り外しが容易で、かつ穴の大きさが異なる場合にも汎用的に用いることができるシート状蓋を提供すること。【解決手段】可撓性のシート１１０と、シート１１０に対してシート面と垂直な方向に偏倚可能な複数の係止爪１２１、１２２、１２３と、を設けたことにより、取り付け及び取り外しが容易なシート状蓋１００を実現できる。また、穴を塞いだ状態で２つ以上の係止爪を差し込める大きさの穴であれば、穴を塞いだ状態でシート１１０が動きにくい。この結果、穴の大きさが異なる場合にも汎用的に用いることができる。【選択図】図１
2018050083.tif 000002
【特許請求の範囲】
【請求項１】
四角形状の可撓性シートと、
前記シートの外縁から前記シートの内方に向かって形成された一対の切込みによって前記一対の切込みの間に形成された部分であり、前記一対の切込みにより挟まれた前記シートの外縁を遊端とし前記一対の切込みの内方端を固定端として、前記シート本体に対してシート面と垂直な方向に偏倚可能な係止爪と、
を有し、
前記係止爪は、
前記可撓性シートの四辺のうち、対向する第１及び第２の辺にそれぞれ設けられているとともに、
前記第１及び第２の辺に隣接する第３及び第４の辺のうちのいずれか一つの辺のみに設けられている、
シート状蓋。
【請求項２】
前記第１及び第２の辺に設けられている前記係止爪の長さは、前記第３及び第４の辺のうちのいずれか一つの辺のみに設けられている前記係止爪の長さとは異なる、
請求項１に記載のシート状蓋。
【請求項３】
前記可撓性のシートは、前記シートを挟んで一方の側に存在する物体を前記シートの他方の側から視認できる透明度を有する、
請求項１又は請求項２に記載のシート状蓋。
【請求項４】
ポリカーボネートを含む材料により形成されている、
請求項１から請求項３のいずれか一項に記載のシート状蓋。
【発明の詳細な説明】
【技術分野】
【０００１】
本発明は、例えば電子部品を収容する筐体の穴を塞ぐために用いられるシート状蓋に関する。
【背景技術】
【０００２】
従来、電子部品を収容する筐体の形態には様々なものがある。それらの形態のうち、筐体の一部に、収容された電子部品をメンテナンスしたり、収容された電子部品の状態を確認するための穴を形成しておき、普段は蓋によって穴を塞いでおき、部品のメンテナンス作業や部品の状態確認などを行う場合に蓋を外すものがある（例えば特許文献１）。
【０００３】
このような蓋は、例えばねじによって取り外し自在に筐体に取り付けられる。また、蓋の縁部に形成された係止爪によって取り外し自在に筐体に取り付けられるものもある。
【先行技術文献】
【特許文献】
【０００４】
【特許文献１】特開２０１１−０５８７０６号公報
【発明の概要】
【発明が解決しようとする課題】
【０００５】
ところで、蓋をねじなどの固定具を用いて取り付ける構成においては、蓋の取り付け及び取り外しに手間がかかり、頻繁にメンテナンス作業を行いたい場合には面倒である。
【０００６】
また、蓋を係止爪によって取り付ける構成においては、ねじを用いる場合と比較すると蓋の取り付け及び取り外しが簡単である利点がある。しかし、取り付けることができる穴の大きさが係止爪の位置によって決まってしまうので、一般には、穴の大きさに応じた専用の蓋を用意する必要がある。
【０００７】
本発明は、以上の点を考慮してなされたものであり、取り付け及び取り外しが容易で、かつ穴の大きさが異なる場合にも汎用的に用いることができるシート状蓋を提供する。
【課題を解決するための手段】
【０００８】
本発明のシート状蓋の一つの態様は、
四角形状の可撓性シートと、
前記シートの外縁から前記シートの内方に向かって形成された一対の切込みによって前記一対の切込みの間に形成された部分であり、前記一対の切込みにより挟まれた前記シートの外縁を遊端とし前記一対の切込みの内方端を固定端として、前記シート本体に対してシート面と垂直な方向に偏倚可能な係止爪と、
を有し、
前記係止爪は、
前記可撓性シートの四辺のうち、対向する第１及び第２の辺にそれぞれ設けられているとともに、
前記第１及び第２の辺に隣接する第３及び第４の辺のうちのいずれか一つの辺のみに設けられている。
【発明の効果】
【０００９】
本発明によれば、取り付け及び取り外しが容易で、かつ穴の大きさが異なる場合にも汎用的に用いることができるシート状蓋を実現できる。
【図面の簡単な説明】
【００１０】
【図１】実施の形態に係るシート状蓋の構成を示す平面図
【図２】電子部品を収容する筐体にシート状蓋を取り付けた状態を示す平面図
【図３】図２のＡ−Ａ’断面を示す断面図
【図４】シート状蓋の他の構成例を示す平面図
【図５】図４のシート状蓋によって実際に穴を塞いだ状態を示す模式的平面図
【発明を実施するための形態】
【００１１】
以下、本発明の実施の形態について、図面を参照して詳細に説明する。
【００１２】
図１は、本発明の実施の形態に係るシート状蓋を示す平面図である。シート状蓋１００は、可撓性のシート本体１１０（以下、シート本体１１０をシート１１０と略記することもある）と、シート１１０に形成された複数の係止爪１２１、１２２、１２３と、により構成されている。
【００１３】
本実施の形態の場合、シート１１０はポリカーボネートにより構成されている。なお、シート１１０の材質はポリカーボネートに限らず、可撓性を有する材質であればよい。ただし、シート１１０の材質は、電子部品から発せられる熱に対する耐熱性を有するものであることが好ましい。また、シート１１０は、シート１１０を挟んで一方の側に存在する物体をシート１１０の他方の側から視認できる透明度を有する材質であることが好ましい。本実施の形態のシート１１０は、ポリカーボネートで構成されているので、このような耐熱性及び透明性を有している。
【００１４】
本実施の形態の場合、シート１１０は長方形状であり、２つの係止爪１２１、１２２が長方形の対辺に形成されており、１つの係止爪１２３が係止爪１２１、１２２の形成されている辺に隣接する辺に形成されている。
【００１５】
係止爪１２１は、シート１１０の外縁位置からシート１１０の内方に向かって形成された一対の切込み１２１ａ、１２１ｂによって当該一対の切込み１２１ａ、１２１ｂの間に形成された部分である。係止爪１２１は、一対の切込み１２１ａ、１２１ｂにより挟まれたシート１１０の外縁を遊端１２１ｃとし一対の切込みの内方端を固定端１２１ｄとして、シート１１０に対してシート面と垂直な方向に偏倚可能となっている。
【００１６】
同様に、係止爪１２２は、シート１１０の外縁位置からシート１１０の内方に向かって形成された一対の切込み１２２ａ、１２２ｂによって当該一対の切込み１２２ａ、１２２ｂの間に形成された部分である。係止爪１２２は、一対の切込み１２２ａ、１２２ｂにより挟まれたシート１１０の外縁を遊端１２２ｃとし一対の切込みの内方端を固定端１２２ｄとして、シート１１０に対してシート面と垂直な方向に偏倚可能となっている。
【００１７】
同様に、係止爪１２３は、シート１１０の外縁位置からシート１１０の内方に向かって形成された一対の切込み１２３ａ、１２３ｂによって当該一対の切込み１２３ａ、１２３ｂの間に形成された部分である。係止爪１２３は、一対の切込み１２３ａ、１２３ｂにより挟まれたシート１１０の外縁を遊端１２３ｃとし一対の切込みの内方端を固定端１２３ｄとして、シート１１０に対してシート面と垂直な方向に偏倚可能となっている。
【００１８】
加えて、切込み１２１ａ、１２１ｂ、１２２ａ、１２２ｂ、１２３ａ、１２３ｂの内方端（固定端１２１ｄ、１２２ｄ、１２３ｄ）に隣接するように円形の切欠き１２１ｅ、１２１ｆ、１２２ｅ、１２２ｆ、１２３ｅ、１２３ｆが形成されている。この円形の切欠き１２１ｅ、１２１ｆ、１２２ｅ、１２２ｆ、１２３ｅ、１２３ｆによって、使用に伴ってシート１１０が裂けて切込み１２１ａ、１２１ｂ、１２２ａ、１２２ｂ、１２３ａ、１２３ｂがシート１１０の内方へと延びて行くことを防止できる。
【００１９】
図２は、電子部品を収容する筐体２００にシート状蓋１００を取り付けた状態を示す平面図である。図３は、図２のＡ−Ａ’断面を示す断面図である。
【００２０】
図３に示すように、筐体２００内には、回路基板３００と、コンデンサやコイルなどの電子部品３１０と、が収容されている。また筐体２００内には、ファン３１１が収容されている。通常時、シート状蓋１００は筐体２００の上面に形成された穴２１０を覆うように筐体２００の上面に取り付けられる。電子部品３１０及びファン３１１をメンテナンスする場合、ユーザはシート状蓋１００を筐体２００から取り外す。
【００２１】
図２及び図３に示すように、シート状蓋１００は、筐体２００上面に取り付けられた状態において、係止爪１２１、１２２、１２３の先端（遊端）部分が筐体２００上面の裏側に差し込まれている。このように、シート状蓋１００は、係止爪１２１、１２２、１２３とシート本体１１０とにより筐体２００の上板を挟み込むことで、穴２１０を塞いだ状態で筐体２００の上板に保持される。実際には、ユーザが係止爪１２１、１２２、１２３を下方に撓ませながら係止爪１２１、１２２、１２３の先端（遊端）部分を筐体２００上面の裏側に差し込み、さらに穴が完全に塞がるようにシート１１０を筐体２００上面で移動させて位置調整する。
【００２２】
ここで、係止爪１２１、１２２、１２３を差し込んだ状態において、シート１１０が面方向で移動できる範囲は切込み１２１ａ、１２１ｂ、１２２ａ、１２２ｂ、１２３ａ、１２３ｂの位置及び長さによって規制されるので、塞ぐ穴２１０の大きさや形状に応じて切込み１２１ａ、１２１ｂ、１２２ａ、１２２ｂ、１２３ａ、１２３ｂの位置及び長さを適宜決定しておけば、シート１１０が穴２１０からずれる可能性を低くできる。
【００２３】
シート状蓋１００を筐体２００から取り外す場合には、係止爪１２１、１２２、１２３が筐体２００から外れる位置に達するまでシート１１０を撓ませればよい。
【００２４】
このようにシート状蓋１００は、簡単に筐体２００に取り付けることができると共に簡単に筐体２００から取り外すことができる。
【００２５】
以上説明したように、本実施の形態によれば、可撓性のシート１１０と、シート１１０に対してシート面と垂直な方向に偏倚可能な複数の係止爪１２１、１２２、１２３と、を設けたことにより、取り付け及び取り外しが容易なシート状蓋１００を実現できる。また、穴２１０を塞いだ状態で２つ以上の係止爪１２１、１２２、１２３を差し込める大きさの穴２１０であれば、穴２１０を塞いだ状態でシート１１０が動きにくい。この結果、穴２１０の大きさが異なる場合にも汎用的に用いることができる。
【００２６】
また、シート１１０の材質を、シート１１０を挟んで一方の側に存在する物体をシート１１０の他方の側から視認できる透明度を有するものとしたことにより、シート状蓋１００を取り外さなくても筐体２００内に収容されている電子部品３１０及びファン３１１の状態を筐体２００の外側から観察できるので便利である。例えば電子部品３１０の接続不良などをシート状蓋１００を外さなくても確認できる。
【００２７】
なお、可撓性シートの形状、係止爪の数、係止爪の大きさ、及び、係止爪の配置は、図１に示したものに限らない。本発明のシート状蓋は、例えば図４に示したように構成してもよい。図４のシート状蓋４００は、可撓性の可撓性のシート本体４１０（以下、シート本体４１０をシート４１０と略記することもある）と、シート４１０に形成された複数の係止爪４２１、４２２、４２３、４３１、４３２、４３３と、により構成されている。
【００２８】
係止爪４２１、４２２、４２３は第１の群を形成しており、係止爪４３１、４３２、４３３は第２の群を形成している。第１の群と第２の群は互いに向かい合っている。また、第１及び第２の群は、それぞれ、長さが異なる複数の係止爪を有する。つまり、第１の群を構成している係止爪４２１、４２２、４２３はそれぞれ長さが異なり、同様に、第２の群を構成している係止爪４３１、４３２、４３３はそれぞれ長さが異なる。さらに、第１の群に含まれる複数の係止爪４２１、４２２、４２３は、第１の方向（図４の上から下に向かう方向）から見た場合、長さが長いものから短いものへと順に並んでおり、第２の群に含まれる複数の係止爪４３１、４３２、４３３は、それとは逆に、前記第１の方向から見た場合、長さが短いものから長いものへと順に並んでいる。
【００２９】
図５は、図４のシート状蓋４００によって実際に穴を塞いだ状態を示す模式的平面図である。図５中の網掛け部分５００はシート状蓋４００によって塞がれる穴を示す。図５Ａはシート状蓋４００が大きな穴５００を塞いでいる状態を示し、この場合、全ての係止爪４２１、４２２、４２３、４３１、４３２、４３３が使われる（つまり筐体の裏側に差し込まれる）。一方、図５Ｂの場合には係止爪４２１、４２２、４３１、４３２が使われ、図５Ｃの場合には係止爪４２１、４３３が使われ、図５Ｄの場合には係止爪４２２、４３３が使われる。
【００３０】
このように、シート状蓋４００は、穴５００の大きさや形状が様々に変化しても、第１の群の少なくとも１つの係止爪と、第１の群に対向する第２の群の少なくとも１つの係止爪とによって係止されるので、シート４１０の面方向での回転が抑制され、シート４１０が穴５００からずれにくい。
【００３１】
上述したように、可撓性シートの形状、係止爪の数、係止爪の大きさ、及び、係止爪の配置は、図１及び図４に示したものに限らず、シートの形状は例えば円形や５角形以上の多角形でもよい。また、係止爪の数が多いほど、及び、係止爪の大きさが多種であるほど、様々な大きさの穴に対応できる。ただし、係止爪の数を多くし過ぎると、係止爪を形成している切込みが穴の上に多く存在することになり、穴を塞ぐ強度が低下するおそれもある。
【００３２】
そのため、図１及び図４に示したように、係止爪をシートの対向する位置近傍に設けることが好ましい。このようにすれば、できるだけ少ない係止爪によってシート状蓋を回転させずに穴を塞ぐ位置に係止することができるようになる。
【００３３】
さらに、本発明のシート状蓋が塞ぐ対象である穴は、電子部品を収容する筐体の穴に限らない。
【００３４】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００３５】
本発明のシート状蓋は、穴を塞ぐための蓋として利用可能である。
【符号の説明】
【００３６】
１００、４００  シート状蓋
１１０、４１０  シート本体
１２１、１２２、１２３、４２１、４２２、４２３、４３１、４３２、４３３  係止爪
１２１ａ、１２１ｂ、１２２ａ、１２２ｂ、１２３ａ、１２３ｂ  切込み
１２１ｃ、１２２ｃ、１２３ｃ  遊端
１２１ｄ、１２２ｄ、１２３ｄ  固定端
１２１ｅ、１２１ｆ、１２２ｅ、１２２ｆ、１２３ｅ、１２３ｆ  円形の切欠き
２００  筐体
２１０、５００  穴
３００  回路基板
３１０  電子部品
３１１  ファン
【図１】
2018050083.tif 000003
【図２】
2018050083.tif 000004
【図３】
2018050083.tif 000005
【図４】
2018050083.tif 000006
【図５】
2018050083.tif 000007